(57)【要約】【課題】既設の融雪散布ノズルに装着することにより少ない手間で雪氷期間前の放水試験と雪氷期間終了時の配管及び散布ノズルの洗浄ができるようになり、保守点検のための手間を少なくすることができる融雪散布ノズル用カバーを提供する。【解決手段】融雪散布ノズル１４に固定する固定手段を備えるカバー基体１と、該カバー基体１に枢着され融雪散布ノズル１４のノズル本体１１の前面を覆った状態とノズル本体１１の前面を開放した状態の２位置をとることができるようにしたカバー本体２とからなる融雪散布ノズル用カバーであって、カバー本体２にカバー本体２がノズル本体１１の前面を覆った状態でノズル本体１１から吐出される液流の方向を下向に変える当たり面６を設けた。【選択図】図１
2005248532.tif 000002
【特許請求の範囲】
【請求項１】
融雪散布ノズルに固定する固定手段を備えるカバー基体と、該カバー基体に枢着され融雪散布ノズルのノズル前面を覆った状態とノズル前面を開放した状態の２位置をとることができるようにしたカバー本体とからなる融雪散布ノズル用カバーであって、カバー本体にカバー本体がノズル前面を覆った状態でノズルから吐出される液流の方向を下向に変える当たり面を設けたことを特徴とする融雪散布ノズル用カバー。
【請求項２】
カバー基体にノズルの上側面を覆う庇を設けたことを特徴とする請求項１に記載の融雪散布ノズル用カバー。
【発明の詳細な説明】
【技術分野】
【０００１】
本発明は、路面の雪を散水により融かすために道路の側部に設置される定置式の融雪散布ノズルに装着する融雪散布ノズル用カバーに関するものである。
【背景技術】
【０００２】
自動車専用道路では、冬季の交通確保のために融雪施設が設けられている。融雪施設には散水によるもの、ロードヒーティングによるもの等種々の方式のものがあるが、路肩に設置した散布ノズルから凍結防止液を散布する方式のものが総合的に高く評価され、広く採用されている。こうした路肩に散布ノズルを設置したものは、例えば特許文献１に示されるようなものが知られている。特許文献１に示されるのは、コンクリート縁石ブロックに通水管を長手方向に内装すると共に通水管に連通して複数個の消雪ノズル体をコンクリート縁石ブロックの側面に配列し、この消雪用縁石ブロックを歩車道の境界等の道路の側部に立設敷設し、通水管を介して給水した水を消雪ノズル体から道路に向けて散水し、道路面上の雪を消雪するようにしたものであり、散布されるのは凍結防止液ではなく水としたものである。
【０００３】
ところが、散布ノズルは塩水を散布する必要のない雪氷期間以外の期間も路肩にそのまま置かれるものであり、除雪車のはねた雪、清掃車のブラシ等が当たることによって散布ノズルの先端の角度が変化したり、泥等によって先端が詰まったりすることがあった。そのため、雪氷期間前には放水試験を行い、角度の変化したものは調整し、詰まったものは清掃する必要があった。また、凍結防止液としては一般に塩水が使用されており、雪氷期間終了時に配管内や散布ノズル内に残った塩分をそのままにしておくと、塩分が結晶となって散布ノズルを詰まらせたり塩分が配管継ぎ手内部等を腐蝕させて折損させたりすることがあるため、塩分を洗浄除去する必要があった。
【０００４】
放水試験は水を使用して行うのであるが、そのまま放水すると通行車輌に水が掛かるという不都合があり、降雨時に行うことも考えられたが、通行車輌に危険が及ぶ虞があるという不都合があった。通常、散布ノズルは遠投用と近投用のもの各１個を１組とし、例えばこれを５ｍごとに設置して５０ｍで１ブロックとし、管理事務所のコンピュータ制御によりブロックごとに給水するようにしてある。前記のような不都合に配慮して従来は一旦全ての散布ノズルのバルブを閉じ、１個ずつ通行車輌に水がかからないように処置したうえその散布ノズルのバルブを開放し、個別に放水試験を行っていた。そのため、同時放水試験ができず、同時放水時の圧力の確認ができないという問題があり、また、その作業が面倒で長時間に及び、しかも本線上での作業であるため危険をともなうという問題があった。さらに、洗浄のための放水についても同様の作業を要し、保守点検のために非常に多くの手間を要するという問題があった。
【特許文献１】登録実用新案第３００２２４６号公報
【発明の開示】
【発明が解決しようとする課題】
【０００５】
本発明は上記の問題点を解決し、既設の融雪散布ノズルに装着することにより少ない手間で雪氷期間前の放水試験と雪氷期間終了時の配管及び散布ノズルの洗浄ができるようすることができ、保守点検のための手間を少なくすることができる融雪散布ノズル用カバーを提供するためになされたものである。
【課題を解決するための手段】
【０００６】
上記の課題を解決するために完成された本発明の融雪散布ノズル用カバーは、融雪散布ノズルに固定する固定手段を備えるカバー基体と、該カバー基体に枢着され融雪散布ノズルのノズル前面を覆った状態とノズル前面を開放した状態の２位置をとることができるようにしたカバー本体とからなる融雪散布ノズル用カバーであって、カバー本体にカバー本体がノズル前面を覆った状態でノズルから吐出される液流の方向を下向に変える当たり面を設けたことを特徴とするものである。このカバー基体にはノズルの上側面を覆う庇を設けることが好ましい。
【発明の効果】
【０００７】
本発明の融雪散布ノズル用カバーは、融雪散布ノズルに固定する固定手段をカバー基体に設けたので、既設の融雪散布ノズルに容易に装着することができる。カバー本体は融雪散布ノズルのノズル前面を覆った状態とノズル前面を開放した状態の２位置をとることができるようにするとともに、ノズル前面を覆った状態でノズルから吐出される液流の方向を下向に変える当たり面を設けたものとしたので、雪氷期間前の放水試験を実施するときにカバー本体がノズル前面を覆った状態として融雪散布ノズルに水を供給すれば、ノズルから吐出された水は当たり面に当たって下向きに方向が変えられ、通行車輌に水が掛かることはない。
【０００８】
放水の状態は目視で容易に確認可能であり、しかも、点検車に乗車したまま移動しながら確認することができるので放水試験に手間がかからない利点がある。また、総合動作試験が実施できるので実際の放水圧力の確認ができ、放水試験を実施する時について制約されることがない利点もある。雪氷期間の終了後に配管及び融雪散布ノズルの洗浄を実施するときにも同様に通行車輌に水が掛からないように通水できるので、配管及び融雪散布ノズルをまとめて洗浄することができ、洗浄のための手間がかからない利点がある。さらに、充分に洗浄することにより塩分による腐蝕を防止できるので施設の寿命を延ばすことができ、補修のための手間が少なくてすむ利点がある。
【０００９】
凍結防止液を散布する雪氷期間には、カバー本体がノズル前面を開放した状態としておけば、ノズルから吐出される凍結防止液はカバー本体に影響されることなく散布される。カバー基体に庇を設けておけば、ノズルの上側面が庇により覆われることにより除雪車のはねた雪や清掃車のブラシがノズルに当たることが殆どなくなり、凍結防止液の散布を行わない季節にカバー本体がノズルを覆った状態としておけば、ノズルは清掃車のブラシや通行車輌のはねた泥等が当たることのないように強固に保護される。これにより、ノズルの角度調整のための手間を要することが殆どなくなる利点がある。したがって、本発明は従来の問題点を解決した融雪散布ノズル用カバーを提供するものとして、業界に寄与するところ極めて大なものである。
【発明を実施するための最良の形態】
【００１０】
次に、本発明を実施するための最良の形態について、図を参照しながら具体的に説明する。
本発明の融雪散布ノズル用カバーは、例えば図５に示すようなノズル本体１１を備えるノズル基体１２をバルブ１３と一体に連結して構成される融雪散布ノズル１４に装着して使用するものである。図中１５はバルブ１３のハンドルである。このような融雪散布ノズル１４は従来から知られるものであり、図６に示すように路肩に立ち上げられる配管１６に取り付けて設置される。また、特許文献１に示されるような通水管を内装したコンクリートブロックを敷設し、これに取り付けて配置することも可能である。
【００１１】
図１乃至図４は融雪散布ノズル１４に本発明の融雪散布ノズル用カバーを装着した状態を示すものであり、融雪散布ノズル１４に取り付けられるカバー基体１にカバー本体２を枢着して構成してある。カバー基体１は融雪散布ノズルに固定する固定手段としてノズル基体１２に外側から装着したうえ締め付けて固定するベルト部３を備えるものとしてあり、ベルト部３の開放部分には締め付けるための締結具４が設けてある。また、カバー基体１にはノズル本体１１の上側を覆う庇部５が設けてある。カバー本体２は水の当たり面６と両側の取り付け板部７、７とから構成してあり、取り付け板部７、７はカバー基体１の側面にピン８、８によって枢着してある。カバー本体２はピン８、８を軸として回動し、図１及び図２に示す放水試験あるいは洗浄をするときの当たり面６がノズル本体１１の前面を覆った状態と、図３及び図４に示す雪氷期間に凍結防止液を散布するときのノズル本体１１の前面を開放した状態の２つの状態をとることができるようにしてある。
【００１２】
カバー本体２は、水の当たり面６がノズル本体１１の前面を覆った状態では、当たり面６に当たるノズル本体１１から吐出された液流の方向を下向きに変化させる形状としてある。また、取り付け板部７、７の少なくとも一方には必要に応じて延長したうえ２個の係止部９ａ、９ｂが設けてあり、カバー基体１には蝶ナット等の係止具１０が設けてある。係止部９ａ、９ｂと係止具１０の位置関係は、当たり面６がノズル本体１１の前面を覆った状態では係止部９ａが、ノズル本体１１の前面を開放した状態では係止部９ｂがそれぞれ係止具１０に係合するようにしてあり、係止具１０により係止部９ａあるいは９ｂを固定することによって、カバー本体２はノズル本体１１の前面を覆った状態あるいはノズル本体１１の前面を開放した状態に固定される。
【００１３】
前記のように構成された融雪散布ノズル用カバーのベルト部３を融雪散布ノズル１４のノズル基体１２に外側から装着し、締結具４を締め付けてカバー基体１を融雪散布ノズル１４に固定する。このとき、ピン８、８を結ぶ線がほぼ水平になるようにし、カバー本体２がほぼ水平方向の軸を中心として回動できるようにしておく。雪氷期間前に放水試験を実施するときには、試験を実施する区間の各融雪散布ノズル用カバーの係止具１０を緩め、カバー本体２を回動させて当たり面６がノズル本体１１の前面を覆った状態とした後係止具１０を締める。このとき、係止具１０には係止部９ａが係合しており、カバー本体２は当たり面６がノズル本体１１の前面を覆った状態で固定される。
【００１４】
この状態で配管を通して融雪散布ノズル１４に水を供給すれば、水はノズル本体１１から吐出されることになるが、吐出された水は当たり面６に当たって下向きに方向が変えられ、下方に流れるので通行車輌に水が掛かることはない。放水の状態は目視で容易に確認可能であり、しかも、点検車に乗車したまま移動しながら確認することができるので手間がかからない利点がある。また、通行車輌に水が掛かることがないので、総合動作試験を実施することができ、実際の放水圧力の確認ができる。しかも、放水試験を実施する時について制約されることがない。
【００１５】
放水試験終了後、各融雪散布ノズル用カバーの係止具１０を緩め、カバー本体２を回動させてノズル本体１１の前面が開放された状態とした後係止具１０を締める。このとき、係止具１０には係止部９ｂが係合しており、カバー本体２はノズル本体１１の前面を開放した状態で固定されて凍結防止液の散布が可能な状態となり、従来のように凍結防止液を供給すれば凍結防止液が散布される。庇部５が設けてある場合には、ノズル本体１１の上側が庇部５により覆われていることにより除雪車のはねた雪や清掃車のブラシがノズル本体１１に当たることが殆どなく、ノズル本体１１の角度が変わることがないので角度の調整を殆ど必要としない利点がある。
【００１６】
雪氷期間の終了後配管及び融雪散布ノズル１４の洗浄を実施するときには、放水試験を実施するときと同様に洗浄を実施する区間の各融雪散布ノズル用カバーの係止具１０を緩め、カバー本体２を回動させて当たり面６がノズル本体１１の前面を覆った状態とした後係止具１０を締める。この状態で配管を通して融雪散布ノズル１４に水を供給すれば、供給された水は配管及び融雪散布ノズル１４を洗浄してノズル本体１１から吐出されることになるが、吐出された水は当たり面６に当たって下向きに方向が変えられ、通行車輌に水が掛かることはない。したがって、配管及び融雪散布ノズル１４を充分洗浄することができ、塩分による腐蝕を防止できるので施設の寿命を延ばすことができる利点がある。しかも、その洗浄を実施する時について制約されることはない。
【００１７】
洗浄を終わった後の凍結防止液の散布を行わない季節にも、そのままカバー本体２がノズル本体１１を覆った状態としておけば、ノズル本体１１は清掃車のブラシや通行車輌のはねた泥等が当たることのないように強固に保護され、角度の変化や泥による詰まりを確実に防止することができる。また、カバー本体２をそのままの状態としておけば、次の雪氷期間前の通水試験をそのまま実施することができるので、カバー本体２の操作は雪氷期間前の通水試験を実施した後にノズル本体１１の前面を開放した状態にすることと、雪氷期間の終了後の配管及び融雪散布ノズル１４の洗浄を実施する前にノズル本体１１の前面を覆った状態にすることの年２回の操作でよいことになり、必要とする手間は極めて少なくてすむものである。
【００１８】
なお、前記実施の形態においてはカバー基体１は開放部分を持つベルト部３を設け、ベルト部３を融雪散布ノズル１４のノズル基体１２に外側から装着したうえ締結具４を締め付けて融雪散布ノズル１４に固定するようにしているが、これに限るものではなく、例えばノズル基体１２に挿通するねじ孔を設けておいて押しねじで固定するというような取り付け方法とすることも可能である。また、カバー本体２の取り付け板部７に２個の係止部９ａ、９ｂを設け、カバー基体１に設けた係止具１０にそのいずれかを係合させて締め付けることにより固定するものとしているが、カバー基体１に２個の係止部を、取り付け板部７に１個の係止具を取り付けたものとすることも可能である。さらに、係止具は蝶ナットに限るものではなく、ばねとボールとからなるボールストッパ等を使用することができる。
【図面の簡単な説明】
【００１９】
【図１】本発明の融雪散布ノズル用カバーを装着した状態を示す側面図である。
【図２】本発明の融雪散布ノズル用カバーを装着した状態を示す正面図である。
【図３】本発明の融雪散布ノズル用カバーを装着した状態を示す側面図である。
【図４】本発明の融雪散布ノズル用カバーを装着した状態を示す正面図である。
【図５】融雪散布ノズルの一例を示す側面図である。
【図６】道路に融雪散布ノズルが配置された状態を示す図である。
【符号の説明】
【００２０】
１  カバー基体
２  カバー本体
３  ベルト部
４  締結具
５  庇部
６  当たり面
７  取り付け板部
８  ピン
９ａ、９ｂ  係止部
１０  係止具
１１  ノズル本体
１２  ノズル基体
１３  バルブ
１４  融雪散布ノズル
１５  ハンドル
１６  配管
【図１】
2005248532.tif 000003
【図２】
2005248532.tif 000004
【図３】
2005248532.tif 000005
【図４】
2005248532.tif 000006
【図５】
2005248532.tif 000007
【図６】
2005248532.tif 000008